【事件の表示】
　特願２００４−　６４８１２「バッテリーパック、アダプター、カメラ付属品」拒絶査定不服審判事件〔平成１６年　６月　３日出願公開、特開２００４−１５９３７５〕について、次のとおり審決する。
【結　論】
　本件審判の請求は、成り立たない。
【理　由】
１．経緯
（１）手続
　本願は、特願平５−３０７０７７号（出願日　平成５年１１月１５日）の分割出願である特願２００３―６３５７９号の一部を平成１６年３月８日にさらに分割出願したものであって、平成１７年６月１４日付けで拒絶査定がなされ、これに対し、同年７月２１日に拒絶査定に対する審判請求がなされたものである。
　
（２）査定
　原査定の理由は、概略、以下のとおりである。
　
　　　　　　　　　　　　　記（査定の理由）
　
　本願の請求項１から３までに係る発明は、下記刊行物に記載された発明に基いて、当業者が容易に発明をすることができたものであるから、特許法第２９条第２項の規定により特許を受けることができない。
　
　　　　　　　　　　　　　　　　記
　
引用例１：実願昭５６−１３４８８９号（実開昭５８−０３９７９４号）のマイクロフィルム
引用例２：特開平０２−１９７０６６号公報
引用例３：特開平０４−３２６８７２号公報
引用例４：実願昭５９−１８３０６１号（実開昭６１−０９７２７１号）のマイクロフィルム
引用例５：実願平０２−０５０８０８号（実開平０４−０１０９５７号）のマイクロフィルム
引用例６：特開平０５−２３６３０５号公報
引用例７：特開平０３−２０５７５８号公報
　
２．本願発明
　本願の請求項１から３までに係る各発明は、本願明細書及び図面（平成１７年２月７日付けの手続補正書により補正された明細書及び図面）の記載からみて、それぞれ、その特許請求の範囲の請求項１から請求項３までに記載したとおりの「バッテリーパック」、「アダプター」、「カメラ付属品」であると認められるところ、そのうち、請求項２に係る発明（以下、本願発明という）は次のとおりである。
　
「【請求項２】ビデオカメラとの結合面を有するアダプターにおいて、
　上記結合面の下部に設けられた電気的結合部と、
　上記電気的結合部をセンターリングするテーパー状ガイドを有する機械的結合部と、
　上記結合面に設けられた凹所と
を備え、
　上記機械的結合部は、上記結合面が偏平となるように上記凹所に埋め込まれ、かつ、上記凹所の上端に設けられたことを特徴とするアダプター。」
　
３．当審の判断
（１） 刊行物の記載
原査定において引用された上記引用例６及び上記引用例１には、それぞれ図面とともに以下の記載がある。
　
（ａ）引用例６（特開平０５−２３６３０５号公報）（以下、刊行物１という）
（ア）「【請求項１０】　請求項９において、前記第１筐体の一側端面下方部に第１コネクタを設け、この第１コネクタに電気的に接続可能な第２コネクタを前記第２筐体に設けたことを特徴とする筐体の着脱装置。
　【請求項１１】請求項１において、前記第１筐体がカメラアダプターであり、かつ前記第２筐体がカメラヘッドであることを特徴とする筐体の着脱装置。」（【特許請求の範囲】における【請求項１０】及び【請求項１１】）
　
（イ）「【産業上の利用分野】
　本発明は、例えば業務用のポータブルビデオカメラに使用して好適な筐体の着脱装置に関するものである。
【従来の技術】
　例えば放送局用のポータブルビデオカメラ等には、用途に応じてアダプターを交換する必要からカメラヘッド用筐体とアダプター用筐体が結合・分離してなるものが多用されている。
　このため、この種のビデオカメラには、カメラヘッド用筐体とアダプター用筐体を結合・分離するための着脱装置が備えられている。」（段落【０００１】〜段落【０００３】）
　
（ウ）「同図において、符号２１で示すものは複数の固体撮像素子（図示せず）を内蔵するカメラヘッド用筐体で、（中略）さらに前記角形窓２４の下方に位置し後方に開口する２つのピン挿入孔２９およびこれらピン挿入孔２９の開口方向と同一の方向に開口するコネクタ収納用の凹部３０が設けられている。」（段落【００２１】）
　
（エ）「３３は左右方向に延在するウェッジで、前記第２凹部２６の上方に位置し前記カメラヘッド用筐体２１に固定されており、上端面には上方に開口するＵ字状の位置決め用溝３４が形成されている。このウェッジ３３の上方端部裏側には、前方（撮影レンズ側）から後方（アダプター側）に向かって上る勾配をもつ傾斜面３３ａが形成されている。」（段落【００２３】）
　
（オ）「５４は信号入出力プラグ５５を着脱するソケット５６を有するアダプター用筐体で、前記カメラヘッド用筐体２１に着脱自在に設けられており、前面部には前方に開口する上下２つの凹部５７，５８が設けられている。
　このアダプター用筐体５３の両凹部５７，５８のうち凹部５７内には、前記ウェッジ３３の傾斜面３３ａに嵌合可能な傾斜面５９ａおよび下方に開口する切欠き５９ｂを各々下方端部裏側と下方端縁中央部に有するウェッジ５９が固定されている。また、この凹部５７内には、前記位置決め用溝３４に嵌合可能な係止ピン６０が取り付けられている。
　一方、他の凹部５８内には、前記ウェッジ４６の傾斜面４６ａに嵌合可能な傾斜面６１ａをその上方端部裏側に有するウェッジ６１が固定されている。また、この凹部５８内には、前記ウェッジ６１の下方に位置し前記凹部３０に対して挿抜可能なコネクタ６２およびこのコネクタ６２の両側方に位置し前記ピン挿入孔２９に挿抜可能な位置決めピン６３が設けられている。」（段落【００３０】〜段落【００３２】）
　
（カ）「すなわち、図３に示すように位置決め用溝３４内に係止ピン６０を臨ませ、次に図４に示すように各ピン挿入孔２９内に位置決めピン６３を臨ませた後、操作レバー６４に各ウェッジ４６，６１が互いに嵌合するまで図５に矢印Ａで示す方向の回動力を付与する。このとき、操作レバー６４がロック操作回動方向にストッパ３２を乗り越えて停止する。また、操作レバー６４の回動方向と同一の方向に第４リンク５３が回動するため、第４リンク５３の回動動作に追随して第３リンク５２が揺動し、第１リンク４８が図５に矢印Ｃで示す方向（反時計方向）に回動すると共に、この回動動作に追随して第２リンク５１が揺動し、同図に矢印Ｅで示す方向にウェッジ４６がウェッジ３３から離間する方向に下降して傾斜面４６ａがウェッジ６１の傾斜面６１ａに対接する。」（段落【００４１】）
　
（ｂ）引用例１（実願昭５６−１３４８８９号（実開昭５８−０３９７９４号）のマイクロフィルム）（以下、刊行物２という）
（キ）「本考案はビデオカメラとＶＴＲとを前後方向から着脱自在に結合させて一体型として使用する装置の結合装置に関するものである。
この種結合装置は、ビデオカメラとＶＴＲとの機械的結合と合せて電気的接続を行う必要がある。」（第２ページ第２行〜第６行）
　
（ク）「先ず第３図に示されるように、ＶＴＲ（２）の前端面である垂直状をなす結合面（１１）の上端部のほゞ中央部には係止板（１２）が複数本の止ネジ（１３）によって垂直状にネジ止めされている。
　次に第２図に示されるように、ビデオカメラ（１）の後端面である垂直状をなす結合面（１４）の上端部のほゞ中央部には係止板（１２）が上方から垂直状に挿入される凹部（１５）を有する係止板受け（１６）が複数本の止ネジ（１７）によって垂直状にネジ止めされている。
　そして第６図に示されるように、これら係止板（１２）と凹部（１５）とはあり差し方式の嵌（旧漢字）合（以下、「嵌合」という。）構造におけるあり形状とありみぞ形状とに構成されている。つまり係止板（１２）はその水平断面がほゞ台形状をなしていてあり形状を構成し、また凹部（１５）もその水平断面がほゞ台形状をなしていてありみぞ形状を構成し、これらはその左右両側面に形成された斜面（１９）（２０）によってあり差し方式に嵌合される。また、第７図に示されるように、これら係止板（１２）と凹部（１５）とはその下端側に至る程次第に小巾となるほゞＶ字状に形成されている。」（第３ページ第１５行〜第４ページ第１４行）
　
（ケ）「次に、第２図、第３図、第５図及び第８図に示されるように、ビデオカメラ（１）とＶＴＲ（２）とを電気的に接続する為の相互に抜き差し自在のコネクタ（４３）が上記係止板（１２）と係止板受け（１６）との嵌合部の下部に配置されている。（中略）そのレセプタクル（４４）はビデオカメラ（１）の結合面（１４）の下端に設けられた上向きで水平状をなす段部（４５）に上向きにネジ止めされている。また、プラグ（４６）はＶＴＲ（２）の結合面（１１）の下端に設けられた下向きで水平状をなす段部（４７）に下向きにネジ止めされていて、これらレセプタクル（４４）とプラグ（４６）とは上下から相対向されるようになされている。」（第６ページ第７行〜第１９行）
　
（コ）「なお第３図、第６図及び第７図に示されるようにＶＴＲ（２）の結合面（１１）の上端側には、係止板（１２）と係止板受け（１６）との嵌合部の上部及び左右両端部を覆うカバー（５２）が設けられていて、そのカバー（５２）の内側には係止板受け（１６）の垂直状をなす左右両端面（５３）に密着して案内される垂直状をなす一対の案内板（５４）が設けられている。
以上の如く構成された結合装置（３）によれば、係止板（１２）を係止板受け（１６）の凹部（１５）内に上方から挿入して嵌合させるのであるが、この際係止板（１２）及び凹部（１５）がほゞＶ字状をなしていることから、（中略）係止板（１２）を凹部（１５）の上下方向のほゞ中間位置に後方から挿入した後、係止板（１２）を垂直状に下降させれば良い。」（第７ページ第５行〜第１９行）
　
（サ）「一方上記結合時において、第８図に実線で示される如くビデオカメラ（１）にＶＴＲ（２）が後方から挿入された時にコネクタ（４３）のプラグ（４６）がレセプタクル（４４）の真上位置に対向される。そしてＶＴＲ（２）が垂直状に下降されることによって第５図に示す如くプラグ（４６）がレセプタクル（４４）に差し込まれてコネクタ（４３）の接続がなされて、ビデオカメラ（１）とＶＴＲ（２）とが電気的に接続される。
なお上記結合時において、両案内板（５４）が両側面（５３）に密着されて、これらによる案内作用にて上記結合作用が円滑に行われる。」（第８ページ第１３行〜第９ページ第３行）
　
（２）本願発明と刊行物１に記載された発明（以下、刊行物１発明という）との対比
（ａ）上記記載（ア）、（イ）、（ウ）、（オ）及び図１によれば、刊行物１にはカメラヘッド用筐体とアダプター用筐体を結合・分離するための着脱装置を備えたビデオカメラが開示されており、上記カメラヘッド用筐体側には角形窓２４の下方に位置し後方に開口するコネクタ収納用の凹部３０が設けられており、上記アダプター用筐体側には一側端面下方部かつウェッジ６１の下方に位置し前記凹部３０に対して挿抜可能であって電気的接続を行うコネクタ６２が設けられている。
　したがって、刊行物１発明の「カメラヘッド用筐体」、「アダプター用筐体」、「コネクタ６２」は、それぞれ本願発明の「ビデオカメラ」、「アダプター」、「結合面の下部に設けられた電気的結合部」に相当する。
　
（ｂ）上記記載（エ）、（オ）、（カ）、図１及び図４によれば、アダプター用筐体側の凹部５７内には、カメラヘッド用筐体側のウェッジ３３の傾斜面３３ａに嵌合可能な傾斜面５９ａ及び下方に開口する切欠き５９ｂを各々下方端部裏側と下方端縁中央部に有するウェッジ５９と、カメラヘッド用筐体側のＵ字状の位置決め用溝３４に嵌合可能な係止ピン６０とが設けられており、上記係止ピン６０を位置決め用溝３４に臨ませてウェッジ３３とウェッジ５９を嵌合させつつ、さらに各ピン挿入孔２９内に位置決めピン６３を臨ませることによってコネクタ６２が凹部３０に対向するようセンターリングがなされる。そして、上記ウェッジ３３とウェッジ５９が嵌合した状態で結合面は扁平となる。
　したがって、刊行物１発明の「アダプター用筐体側の凹部５７」は本願発明の「結合面に設けられた凹所」に相当し、刊行物１発明の「ウェッジ５９」及び「係止ピン６０」は本願発明の「上記結合面が扁平となるように上記凹所に埋め込まれ、かつ、上記凹所に設けられた」「電気的結合部をセンターリングする機械的結合部」に相当する。
　もっとも、本願発明の機械的結合部は「テーパー状ガイドを有する」とともに「凹所の上端に設けられ」ているのに対し、刊行物１発明の機械的結合部は「ウェッジ５９」及び「係止ピン６０」からなり、いずれも凹所の上端には設けられていない。
　
（３）一致点、相違点
　本願発明と刊行物１発明との一致点および相違点は下記のとおりである。
　
　　　　　　　　　　　　　　　記（一致点）
　
「ビデオカメラとの結合面を有するアダプターにおいて、
　上記結合面の下部に設けられた電気的結合部と、
　上記電気的結合部をセンターリングする機械的結合部と、
　上記結合面に設けられた凹所と
を備え、
　上記機械的結合部は、上記結合面が扁平となるように上記凹所に埋め込まれ、かつ、上記凹所に設けられたことを特徴とするアダプター。」
　
　　　　　　　　　　　　　　　記（相違点）
　
　本願発明の機械的結合部は「テーパー状ガイドを有する」とともに「凹所の上端に設けられ」ているのに対し、刊行物１発明の機械的結合部は「ウェッジ５９」及び「係止ピン６０」からなり、いずれも凹所の上端には設けられていない点
　
（４）相違点の判断
（４−１）相違点
　上記記載（キ）によれば、刊行物２には、ビデオカメラとＶＴＲとを機械的及び電気的に結合するための結合装置が開示されており、刊行物１発明と刊行物２に記載された発明（以下、刊行物２発明）とは、同一の技術分野に属するものといえる。
　
　上記記載（ク）、（ケ）、（コ）、（サ）によれば、ＶＴＲ（２）の前端面である垂直状をなす結合面（１１）の上端部のほぼ中央部には係止板（１２）が複数本の止ネジ（１３）によって垂直状にネジ止めされ、ビデオカメラ（１）の後端面である垂直状をなす結合面（１４）の上端部のほぼ中央部には係止板（１２）が上方から垂直状に挿入される凹部（１５）を有する係止板受け（１６）が複数本の止ネジ（１７）によって垂直状にネジ止めされている。また、上記係止板（１２）と凹部（１５）とはあり差し方式の嵌合構造におけるあり形状とありみぞ形状とに構成されており、かつ、これら係止板（１２）と凹部（１５）とはその下端側に至る程次第に小巾となるほぼＶ字状に形成されている。
　そして、係止板（１２）を凹部（１５）の上下方向のほぼ中間位置に後方から挿入してコネクタ（４３）のプラグ（４６）をレセプタクル（４４）の真上位置に対向させた後、垂直状に下降して、係止板受け（１６）の凹部（１５）内に嵌合させることにより、プラグ（４６）がレセプタクル（４４）に差し込まれてビデオカメラ（１）とＶＴＲ（２）とが電気的に接続される。
　したがって、上記係止板（１２）は、そのＶ字形状によりプラグ（４６）がレセプタクル（４４）の真上位置に対向するようガイドする機能を有するから、「テーパー状ガイド」であるといえる。
　
　また、上記記載（コ）、第２図、第３図及び第５図によれば、ＶＴＲ（２）の結合面（１１）の上端面には、係止板（１２）と係止板受け（１６）との嵌合部の上部及び左右両端部を覆うカバー（５２）が設けられており、上記カバー（５２）は、ビデオカメラとＶＴＲが結合した状態で、係止板（１２）と係止板受け（１６）との嵌合部を収容する空間を形成している。
　したがって、上記嵌合部を収容する空間は刊行物１発明の凹所に相当し、係止板（１２）はその上端に設けられているといえる。
　
　してみると、刊行物１発明と刊行物２発明とは同一の技術分野に属するものであって、刊行物１発明の「凹所に埋め込まれた電気的結合部をセンターリングする機械的結合部」と刊行物２発明の「テーパー状ガイド」は、ともに電気的結合部の位置あわせ機能及び機械的に結合する機能を有するものであるから、刊行物１発明において、刊行物２発明のテーパー状ガイドを刊行物１発明の凹所の上端に設けて機械的結合部とすることは当業者が容易に想到し得ることである。
　
（４−２）効果等
　請求人は、平成１７年８月２２日付けで補正された審判請求書において、引用例６（刊行物１）との対比に基づいて、「機械的結合部が凹部の上端に設けられていることによって、装着される際の衝撃を凹部の上部で吸収する」という作用効果を主張する。
　しかしながら、本願明細書（特に、平成１６年４月６日付け手続補正書により補正された明細書の段落【００１８】参照）及び図面には、機械的結合部を凹部の上側の中央部だけでなく凹部の底部（アダプターの垂直な前面１１ａの上下、左右のほぼ中央部）とも一体に形成した実施例が記載されていることから、本願発明において、アダプターが上下に装着される際の衝撃は、凹部の上部だけでなく凹部の底部によっても吸収されることは明らかであり、上記作用効果を「装着される際の衝撃を凹部の上部」のみ「で吸収する」と解することはできない。
　そうすると、本願発明の「機械的結合部」が「凹所の上端に設けられた」ことによる効果は、刊行物２発明のテーパー状ガイドを凹所の上端に設けた場合の効果に比べて格別顕著なものとはいえない。
　したがって、本願発明の効果は、刊行物１及び２の記載から予測することができる範囲を超えるものではない。
　
（５）小括
　以上のとおり、請求項２に係る発明は、上記各刊行物に記載された発明に基づいて当業者が容易に発明をすることができたものである。
　
４．むすび
　以上、請求項２に係る発明は、上記各刊行物に記載された発明に基づいて当業者が容易に発明をすることができたものであるから、特許法第２９条第２項の規定により特許を受けることができない。
　したがって、残る理由（請求項１及び請求項３）について特に検討するまでもなく、本願は拒絶すべきものである。
　よって、結論のとおり審決する。